(57)【特許請求の範囲】
【請求項１】
ソール本体と、
このソール本体上に設けられており且つ足が載置可能なインソールとを備えており、
前記インソールは、足のつま先部分が当接可能な前方部と、
足の踵部分が当接可能な後方部と、
前記前方部及び後方部の間の中間部とを有しており、
前記ソール本体は、前記インソールの後方部に対応する後側部と、
前側部とを有しており、
前記インソールの後方部には異物が挿入可能な後側挿入孔が設けられており、
前記ソール本体の後側部には、前記後側挿入孔に連通する後側排出路が設けられており、
前記後側排出路が、前記ソール本体の長さ方向に延び且つ前記後側部の後面から外部に露出しており、
前記インソールの前方部には異物が挿入可能な前側挿入孔が設けられており、
前記ソール本体の前側部には、前記前側挿入孔に連通する中央通行路と、この中央通行路の両側に位置し且つ該中央通行路に連通する前側排出路とが設けられており、
前記前側排出路は、前記中央通行路から斜め前方に延び且つ前記前側部の両外側面から外部に露出していることを特徴とするソール。
【請求項２】
請求項１記載のソールにおいて、
前記ソール本体の上面には前記インソールを収容する収容凹部が設けられており、
前記中央通行路は、前記収容凹部の前側部の底面上に設けられた溝であり、
前記前側排出路は、前記収容凹部の前側部の底面上に設けられた前側排出溝と、
前記ソール本体の収容凹部の外周縁部の前側部を貫通する前側排出口を有し、
前記後側排出路は、前記収容凹部の後側部の底面上に設けられた後側排出溝と、
前記ソール本体の収容凹部の外周縁部の後側部を貫通する後側排出口を有しており、
前記インソールが前記収容凹部に対して着脱自在になっていることを特徴とするソール。
【請求項３】
請求項２記載のソールにおいて、
前記ソール本体の後側部には、前記後側挿入孔に連通し且つ前記後側排出路に対して直交配置される直交排出路が更に設けられており、
前記直交排出路は、前記ソール本体の幅方向に延び且つ前記後側部の側面から外部に露出していることを特徴とするソール。
【請求項４】
請求項３記載のソールにおいて、
前記ソール本体の上面には前記インソールを収容する収容凹部が設けられており、
前記中央通行路は、前記収容凹部の前側部の底面上に設けられた溝であり、
前記前側排出路は、前記収容凹部の前側部の底面上に設けられた前側排出溝と、
前記ソール本体の収容凹部の外周縁部の前側部を貫通する前側排出口を有し、
前記後側排出路は、前記収容凹部の後側部の底面上に設けられた後側排出溝と、
前記ソール本体の収容凹部の外周縁部の後側部を貫通する後側排出口を有しており、
前記直交排出路は、前記収容凹部の後側部の底面上に前記後側排出溝に直交するように設けられた直交排出溝と、
前記ソール本体の収容凹部の外周縁部の後側部を貫通する直交排出口を有しており、
前記インソールが前記収容凹部に対して着脱自在になっていることを特徴とするソール。
【請求項５】
請求項１乃至４の何れか一つに記載のソールにおいて、
前記後側挿入孔及び前側挿入孔がハニカム状となっていることを特徴とするソール。
【請求項６】
請求項１乃至５の何れか一つに記載のソールにおいて、
前記前側挿入孔は、前記インソールの前記前方部に加えて、前記中間部にも設けられていることを特徴とするソール。
【請求項７】
請求項１乃至６の何れか一つに記載のソールと、
このソールに取り付けられた鼻緒又はストラップとを備えていることを特徴とするサンダル。
【請求項８】
請求項７に記載のサンダルにおいて、
前記ストラップは、前記ソール本体の収容凹部の両縁部に懸架されていることを特徴とするサンダル。
【発明の詳細な説明】
【技術分野】
【０００１】
本発明は、ソール及びこれを備えたサンダルに関する。
【背景技術】
【０００２】
この種のサンダル用のソールとしては、脚の蒸れ等を防止するために通気孔が設けられたものがある。前記通気孔は、前記ソールのインソールに設けられた複数の縦孔と、前記ソールを幅方向に貫通し且つ前記縦孔に連通する横孔とを有している（特許文献１参照）
【先行技術文献】
【特許文献】
【０００３】
【特許文献１】実開昭５５−１１６５０４号公報
【発明の概要】
【発明が解決しようとする課題】
【０００４】
ところで、前記サンダルは、ソールの足当て面が外部に露出していることから、ソールの足当て面と足との間に小石等が入り込むことがある。ソールの足当て面と足の間に小石等が入り込むと、気持ちが悪い。
【０００５】
本発明は、上記事情に鑑みて創案されたものであって、その目的とするところは、小石、砂や水等の異物を容易に排出することができるソール及びサンダルを提供することにある。
【課題を解決するための手段】
【０００６】
上記課題を解決するために、本発明のソールは、ソール本体と、このソール本体上に設けられており且つ足が載置可能なインソールとを備えている。前記インソールは、足のつま先部分が当接可能な前方部と、足の踵部分が当接可能な後方部と、前記前方部及び後方部の間の中間部とを有している。前記ソール本体は、前記インソールの後方部に対応する後側部と、前側部とを有している。前記インソールの後方部には異物が挿入可能な後側挿入孔が設けられている。前記ソール本体の後側部には、前記後側挿入孔に連通する後側排出路が設けられている。前記後側排出路が、前記ソール本体の長さ方向に延び且つ前記後側部の後面から外部に露出している。前記インソールの前方部に異物が挿入可能な前側挿入孔を設けられている。前記ソール本体の前側部には、前記前側挿入孔に連通する中央通行路と、この中央通行路の両側に位置し且つ該中央通行路に連通する前側排出路とが設けられている。前記前側排出路は、前記中央通行路から斜め前方に延び且つ前記前側部の両外側面から外部に露出している。
【０００７】
このようなソールによる場合、前記後側排出路が、前記ソール本体の長さ方向に延び且つ前記後側部の後面から外部に露出しているので、前記ソール本体を、その前側部を上方に向けて傾斜させだけで、前記後側挿入孔から入り込んだ異物を前記後側排出路から容易に排出することができる。また、前記後側挿入孔及び後側排出路を通じて排水することもできる。しかも、前記後側挿入孔及び後側排出路を通じて空気を流通させることもできるので、足の蒸れを抑制することが可能になる。前記ソール本体を足の回転中心を中心として幅方向に回転するだけで、前記前側挿入孔から入り込んだ異物を前記前側排出路から容易に排出することができる。しかも、前記前側挿入孔及び前側排出路を通じて排水することもできる。その上、前記前側挿入孔及び前側排出路を通じて空気を流通させることもできるので、足の蒸れを抑制することが可能になる。
【０００９】
前記ソール本体の上面に前記インソールを収容する収容凹部を設けることが可能である。前記中央通行路は、前記収容凹部の前側部の底面上に設けられた溝とすることができる。前記前側排出路は、前記収容凹部の前側部の底面上に設けられた前側排出溝と、前記ソール本体の収容凹部の外周縁部の前側部を貫通する前側排出口を有し、前記後側排出路は、前記収容凹部の後側部の底面上に設けられた後側排出溝と、前記ソール本体の収容凹部の外周縁部の後側部を貫通する後側排出口を有する構成とすることができる。
【００１０】
この場合、前記インソールが前記ソール本体の収容凹部に嵌合する構成であるため、前記インソールを前記ソール本体から容易に着脱することができる。よって、前記前側挿入孔及び後側挿入孔から多量の異物が前記前側排出路及び後側排出路内に入り込んだ場合には、前記インソールを取り外すことにより、前記異物を前記前側排出路及び後側排出路から容易に排出することができる。
【００１１】
前記ソール本体の後側部に、前記後側挿入孔に連通し且つ前記後側排出路に対して直交配置される直交排出路を更に設けることができる。前記直交排出路は、前記ソール本体の幅方向に延び且つ前記後側部の側面から外部に露出した構成とすることが可能である。この場合、前記ソール本体を足の回転中心を中心として幅方向に回転するだけで、前記前側挿入孔から入り込んだ異物を前記直交排出路から容易に排出することができる。
【００１２】
前記直交排出路は、前記収容凹部の後側部の底面上に前記後側排出溝に直交するように設けられた直交排出溝と、前記ソール本体の収容凹部の外周縁部の後側部を貫通する直交排出口を有する構成とすることができる。
【００１３】
前記後側挿入孔及び前側挿入孔がハニカム状となっていることが好ましい。この場合、前記インソールの所定の強度を維持しつつ、該インソールに前記挿入孔を設けることができる。また、前記挿入孔をハニカム状とすることにより、該挿入孔を四角形の孔とした場合よりもインソールの強度を高くすることができ、且つ該挿入孔を円形の孔とした場合よりもインソールの足に対する接触面積を小さくすることができる。
【００１４】
前側挿入孔は、前記インソールの前記前方部に加えて、前記中間部にも設けられていることが好ましい。この場合、前記前方部及び中間部の前側挿入孔から異物が排出可能となるので、異物の排出機能が向上する。
【００１５】
本発明のサンダルは、上記ソールと、このソールに取り付けられた鼻緒又はストラップとを備えている。前記ストラップは前記ソール本体の収容凹部の両縁部に懸架されていることが好ましい。
【図面の簡単な説明】
【００１６】
【図１】本発明の実施例１に係るサンダルの概略図であって、（ａ）が平面図、（ｂ）が底面図である。
【図２】前記サンダルの概略図であって、（ａ）が正面図、（ｂ）が背面図である。
【図３】前記サンダルの概略図であって、（ａ）が右側面図、（ｂ）が左側面図である。
【図４】前記サンダルの概略的斜視図である。
【図５】前記サンダルの概略的分解斜視図である。
【図６】（ａ）が前記サンダルのソールの概略的Ａ−Ａ断面図、（ｂ）が前記サンダルのソールの概略的Ｂ−Ｂ断面図である。
【図７】（ａ）が前記サンダルのインソールの足が設置された状態を示す概略的平面図、（ｂ）が前記サンダルのソールの足が設置された状態を示す概略的平面図である。
【図８】本発明の実施例２に係るサンダルの概略図であって、（ａ）が平面図、（ｂ）が底面図である。
【図９】前記サンダルの概略図であって、（ａ）が正面図、（ｂ）が背面図である。
【図１０】前記サンダルの概略図であって、（ａ）が右側面図、（ｂ）が左側面図である。
【図１１】前記サンダルの概略的斜視図である。
【図１２】前記サンダルの概略的分解斜視図である。
【図１３】前記サンダルのソールの概略的Ｃ−Ｃ断面図である。
【発明を実施するための形態】
【実施例１】
【００１７】
以下、本発明の実施例１に係るサンダルについて図１乃至図７を参照しつつ説明する。図１乃至図３に示すサンダルは、ソール１００と、鼻緒２００とを備えている。以下、各部の動作について説明する。
【００１８】
ソール１００は、図１乃至図５に示すように、ソール本体１１０と、このソール本体１１０上に設けられたインソール１２０とを有している。インソール１２０は、足１０が載置されるゴムや合成樹脂等で構成されたフレキシブルな板体である。インソール１２０は、図１及び図７（ａ）に示すように、足１０のつま先部分が当接可能な前方部１２０ａと、足１０の踵部分が当接可能な後方部１２０ｂと、前方部１２０ａ及び後方部１２０ｂの間の中間部１２０ｃとを有している。インソール１２０には、厚み方向に貫通するハニカム状の複数の挿入孔１２１が設けられている。挿入孔１２１の外径は、小石Ｓ（異物）が挿入可能な大きさになっている。本実施の形態では、挿入孔１２１の外径は約３〜５ｍｍとなっている。なお、挿入孔１２１のうち、前方部１２０ａ及び中間部１２０ｃに設けられた挿入孔１２１が特許請求の範囲における前側挿入孔に相当し、後方部１２０ｂに設けられた挿入孔１２１が特許請求の範囲における後側挿入孔に相当する。
【００１９】
ソール本体１１０は、ゴムや合成樹脂等により構成されている。このソール本体１１０は、図１及び図７（ｂ）に示すように、前側部１１０ａ及び後側部１１０ｂを有している。後側部１１０ｂは、インソール１２０の後方部１２０ｂに対応する部分である。前側部１１０ａは、ソール本体１１０の後側部１１０ｂよりも前側の部分である。また、ソール本体１１０の上面には、図５乃至図７（ｂ）に示すように、インソール１２０の外形に対応した形状の収容凹部１１１が設けられている。この収容凹部１１１にインソール１２０が着脱自在に嵌合するようになっている。なお、足１０の回転中心Ｘとは、図７に示すように、足１０を、足首１１を支点として図示左右両側に回転させる際の中心のことである。
【００２０】
収容凹部１１１の前側部１１０ａの底面上には、中央通行溝１１２ａ（すなわち、中央通行路）、複数の前側排出溝１１３ａ及び複数の先端排出溝１１４ａが設けられている。一方、収容凹部１１１の後側部１１０ｂの底面には、後側排出溝１１２ｂ及び直交排出溝１１３ｂが設けられている。
【００２１】
中央通行溝１１２ａは、収容凹部１１１の前側部１１０ａの底面の略中央部に位置しており且つソール１００の長さ方向に沿って延びている。前側排出溝１１３ａは、収容凹部１１１の前側部１１０ａの底面の中央通行溝１１２ａの両側に位置しており且つ該中央通行溝１１２ａから斜め前方に延びている。前側排出溝１１３ａは中央通行溝１１２ａに連通している。先端排出溝１１４ａは、収容凹部１１１の前側部１１０ａの底面の先端部分に位置しており且つ前記長さ方向に沿って延びている。前側排出溝１１３ａ及び先端排出溝１１４ａの幅寸法は、小石Ｓが流通可能な寸法となっている。中央通行溝１１２ａの幅寸法は前側排出溝１１３ａ及び先端排出溝１１４ａの幅寸法よりも大きくなっている。本実施の形態では、中央通行溝１１２ａの幅寸法が約５〜１０ｍｍ、前側排出溝１１３ａ及び先端排出溝１１４ａの幅寸法が約５〜１０ｍｍとなっている。後側排出溝１１２ｂはソール１００の長さ方向に沿って延びている。後側排出溝１１２ｂは、中央通行溝１１２ａ及び該後側排出溝１１２ｂ近傍の前側排出溝１１３ａと連通している。直交排出溝１１３ｂは、後側排出溝１１２ｂに対して直交するように配置され且つソール１００の幅方向に沿って延びている。後側排出溝１１２ｂ及び直交排出溝１１３ｂの幅寸法は前側排出溝１１３ａの幅寸法と略同じ大きさになっている。また、中央通行溝１１２ａ、前側排出溝１１３ａ、先端排出溝１１４ａ、後側排出溝１１２ｂ及び直交排出溝１１３ｂは、収容凹部１１１に嵌合したインソール１２０の挿入孔１２１に各々連通している。
【００２２】
また、収容凹部１１１の前側部１１０ａの底面には前側嵌合孔１１５ａが、収容凹部１１１の後側部１１０ｂの底面には一対の後側嵌合孔１１４ｂが設けられている。前側嵌合孔１１５ａ及び後側嵌合孔１１４ｂは、ソール本体１１０の収容凹部１１１の底面から該ソール本体１１０の裏面にかけて貫通する円形の孔である。
【００２３】
また、ソール本体１１０の収容凹部１１１の外周縁部の外周面には、該外周縁部を厚み方向に貫通する複数の排出口１１６が間隔を空けて設けられている。排出口１１６のうち前記外周縁部の前側部１１０ａに設けられた排出口１１６が前側排出溝１１３ａに連通し、前記外周縁部の後側部１１０ｂの後端部に設けられた排出口１１６が後側排出溝１１２ｂ及び直交排出溝１１３ｂに連通している。なお、前側排出溝１１３ａに連通する排出口１１６（前側排出口）が該前側排出溝１１３ａと共に前側排出路を構成し、後側排出溝１１２ｂの後端に連通する排出口１１６（後側排出口）が、後側排出溝１１２ｂと共に後側排出路を構成し、直交排出溝１１３ｂに連通する排出口１１６（直交排出口）が、直交排出溝１１３ｂと共に直交排出路を構成している。
【００２４】
略Ｙ字状の鼻緒２００は、連結端部２１０と、一対の開放端部２２０とを有している。連結端部２１０は、インソール１２０の前方部１２０ａを厚み方向に貫通している。この連結端部２１０の先端には、円柱状の前側嵌合部２１１が設けられている。また、開放端部２２０は、インソール１２０の後方部１２０ｂを厚み方向に貫通している。この開放端部２２０の先端には、円柱状の後側嵌合部２２１が各々設けられている。前側嵌合部２１１、後側嵌合部２２１がソール１００のソール本体１１０の前側嵌合孔１１５ａ、後側嵌合孔１１４ｂに各々着脱自在に嵌合している。
【００２５】
以下、上述した構成のサンダルの小石排出機能について詳しく説明する。小石Ｓがインソール１２０上に落ちると、小石Ｓがインソール１２０の挿入孔１２１に挿入され、中央通行溝１１２ａ、前側排出溝１１３ａ、先端排出溝１１４ａ、後側排出溝１１２ｂ及び／又は直交排出溝１１３ｂ内に入り込む。
【００２６】
その後、足１０のつま先を上方に傾け、本サンダルを同様に傾斜させると、後側排出溝１１２ｂ内の小石Ｓが、該後側排出溝１１２ｂを通じて排出口１１６からソール１００外に排出される。このとき、後述するように中央通行溝１１２ａ及び後側排出溝１１２ｂ近傍の前側排出溝１１３ａ内に入り込んだ小石Ｓも後側排出溝１１２ｂを通じて排出口１１６からソール１００外に排出される。
【００２７】
また、足１０を、回転中心Ｘを中心に図４に示す矢印方向に回転させ、本サンダルも同様に回転させると、中央通行溝１１２ａ及び／又は前側排出溝１１３ａ内の小石Ｓが、該前側排出溝１１３ａを通じて排出口１１６からソール１００外に排出される。これと共に、後側排出溝１１２ｂ及び／又は直交排出溝１１３ｂ内の小石Ｓが、直交排出溝１１３ｂ及び両外側の後側排出溝１１２ｂを通じて排出口１１６からソール１００外に排出される。
【００２８】
また、インソール１２０の挿入孔１２１から小石Ｓが中央通行溝１１２ａ、前側排出溝１１３ａ、先端排出溝１１４ａ、後側排出溝１１２ｂ及び／又は直交排出溝１１３ｂに大量に入り込んだ場合、若しくは、中央通行溝１１２ａ、前側排出溝１１３ａ、先端排出溝１１４ａ、後側排出溝１１２ｂ及び／又は直交排出溝１１３ｂ内の小石Ｓが上述の如く足１０を動かしてもうまく排出できない場合には、鼻緒２００をソール本体１１０に対して相対的に上方に引っ張る。すると、鼻緒２００の前側嵌合部２１１、後側嵌合部２２１とソール本体１１０の前側嵌合孔１１５ａ、後側嵌合孔１１４ｂとの嵌合が外れる。これと共に、インソール１２０とソール本体１１０の収容凹部１１１との嵌合も外れる。これにより、鼻緒２００及びインソール１２０がソール本体１１０から取り外され、中央通行溝１１２ａ、前側排出溝１１３ａ、先端排出溝１１４ａ、後側排出溝１１２ｂ及び直交排出溝１１３ｂが外部に露出する。このため、ソール本体１１０の収容凹部１１１を下方に向けるだけで、中央通行溝１１２ａ、前側排出溝１１３ａ、先端排出溝１１４ａ、後側排出溝１１２ｂ及び／又は直交排出溝１１３ｂ内の小石Ｓを排出することができる。また、中央通行溝１１２ａ、前側排出溝１１３ａ、先端排出溝１１４ａ、後側排出溝１１２ｂ及び／又は直交排出溝１１３ｂに嵌まっている小石Ｓを手や棒を用いて直接取り除くこともできる。また、インソール１２０の挿入孔１２１に嵌合した小石Ｓを手や棒を用いて直接取り除くこともできる。
【００２９】
このようなサンダルによる場合、上述の如く足１０を傾斜させたり回転させたりするだけで、インソール１２０の挿入孔１２１から挿入された小石Ｓ及びこれと略同じ又は小さいサイズの異物（例えば、砂や水等）をソール本体１１０の前側排出溝１１３ａ、後側排出溝１１２ｂ及び／又は直交排出溝１１３ｂを通じて排出口１１６から外部に排出することができる。しかも、インソール１２０をソール本体１１０の収容凹部１１１から取り外すことができるので、中央通行溝１１２ａ、前側排出溝１１３ａ、先端排出溝１１４ａ、後側排出溝１１２ｂ及び／又は直交排出溝１１３ｂ内の小石Ｓを一度に取り除くことができる。また、インソール１２０がソール本体１１０の収容凹部１１１から取り外し、インソール１２０の挿入孔１２１に嵌まった小石Ｓや中央通行溝１１２ａ、前側排出溝１１３ａ、先端排出溝１１４ａ、後側排出溝１１２ｂ及び／又は直交排出溝１１３ｂに嵌まった小石Ｓを手や棒を用いて直接取り除くことができる。従って、本サンダルは、小石Ｓ等の異物の排出を容易に行うことができる。
【００３０】
また、インソール１２０の挿入孔１２１から入り込んだ水をソール本体１１０の前側排出溝１１３ａ、先端排出溝１１４ａ、後側排出溝１１２ｂ及び／又は直交排出溝１１３ｂを通じて排出口１１６から排出することもできる。その上、インソール１２０の挿入孔１２１、ソール本体１１０の前側排出溝１１３ａ、先端排出溝１１４ａ、後側排出溝１１２ｂ及び／又は直交排出溝１１３ｂ、並びにソール本体１１０の排出口１１６を通じて空気を流通させることもできるので、足１０の蒸れを抑制することも可能になる。
【実施例２】
【００３１】
以下、本発明の実施例２に係るサンダルについて図８乃至図１３を参照しつつ説明する。図８乃至図１３に示すサンダルは、鼻緒２００に代えて、ストラップ３００を備えている以外、実施例１のサンダルと略同じである。従って、相違する部分についてのみ詳しく説明し、重複する説明については省略する。
【００３２】
ストラップ３００は、ソール本体１１０の収容凹部１１１の外周縁部の幅方向の両端部（すなわち、両縁部）に懸架された下向き略Ｕ字状の帯状体である。このストラップ３００は、ソール本体１１０と同じ素材でソール本体１１０の前記両端部に一体的に成形されている。このため、ソール本体１１０には前側嵌合孔１１５ａ及び後側嵌合孔１１４ｂが設けられておらず、インソール１２０には鼻緒２００の連結端部２１０及び開放端部２２０が貫通するスリットが形成されていない。
【００３３】
このようなサンダルによる場合であっても、実施例１のサンダルと同様の効果を得ることができる。
【００３４】
なお、上述したサンダル及びソール１００は、上記実施の形態に限定されるものではなく、特許請求の範囲の記載の範囲において任意に設計変更することが可能である。以下、詳しく述べる。
【００３５】
上記実施の形態では、インソール１２０は、ソール本体１１０の収容凹部１１１に着脱自在に嵌合しているとしたが、ソール本体上に設けられている限り任意に設計変形することが可能である。例えば、ソール本体の上面上にインソールを接着するようにしても構わないし、ソール本体の上面にインソールを一体的に設けることも可能である。また、上記実施の形態では、インソール１２０の全面に挿入孔１２１が設けられているとしたが、これに限定されるものではない。また、挿入孔１２１はハニカム状であるとしたが、これに限定されるものではなく、四角や円形の孔等をすることも可能である。
【００３６】
上記実施の形態では、ソール本体１１０には、中央通行溝１１２ａ、前側排出溝１１３ａ、先端排出溝１１４ａ、後側排出溝１１２ｂ及び直交排出溝１１３ｂが設けられているとしたが、少なくとも後側排出溝１１２ｂが設けられていれば良い。排出口１１６も後側排出溝１１２ｂに連通するものが少なくともあれば良い。また、上記実施の形態では、ソール本体１１０の上面には収容凹部１１１が設けられているとしたが、これに限定されるものではない。例えば、前述のようにインソールが上面に接着される場合には収容凹部１１１を省略することができる。この場合、インソールの上面に中央通行溝１１２ａ、前側排出溝１１３ａ、先端排出溝１１４ａ、後側排出溝１１２ｂ及び／又は直交排出溝１１３ｂを設け、該前側排出溝１１３ａ、先端排出溝１１４ａ、後側排出溝１１２ｂ及び／又は直交排出溝１１３ｂをソール本体の外周面から露出させるようにすれば良い。すなわち、各排出路は、少なくとも排出溝を有していれば良い。
【００３７】
また、上記実施の形態では、鼻緒２００は前側嵌合部２１１、後側嵌合部２２１がソール本体１１０の前側嵌合孔１１５ａ、後側嵌合孔１１４ｂに着脱自在に嵌合するとしたが、これに限定されるものではない。ストラップ３００は、ソール本体１１０に一体成形されているとしたが、これに限定されるものではない。例えば、ストラップ３００の両端部をソール本体１１０の収容凹部１１１の両縁部に縫い付ける等して取り付けるようにしても良い。また、２以上のストラップをソール本体１１０の収容凹部１１１の両縁部に懸架させるようにしても良い。
【００３８】
また、ソール１００は、サンダルのソールとして用いられるとしたが、これに限定されるものではない。例えば、ソール１００を靴のソールとしても用いることが可能である。この場合であっても、上記サンダルと同様の効果を得ることができる。
【００３９】
なお、上記実施の形態では、ソール１００、鼻緒２００及びストラップ３００の各部を構成する素材、形状、寸法及び配置等はその一例を説明したものであって、同様の機能を実現し得る限り任意に設計変更することが可能である。
【符号の説明】
【００４０】
１００・・・・ソール
１１０・・・ソール本体
１１０ａ・前側部
１１０ｂ・後側部
１１１・・収容凹部
１１２ａ・中央通行溝
１１３ａ・前側排出溝
１１４ａ・先端排出溝
１１２ｂ・後側排出溝
１１３ｂ・直交排出溝
１１６・・排出口
１２０・・・インソール
１２０ａ・前方部
１２０ｂ・後方部
１２０ｃ・中間部
１２１・・挿入孔
２００・・・・鼻緒
２１０・・・連結端部
２２０・・・開放端部
１０・・・・・足
Ｘ・・・・・・回転中心
Ｓ・・・・・・小石
【図１】
0005495750.tif 000002
【図２】
0005495750.tif 000003
【図３】
0005495750.tif 000004
【図４】
0005495750.tif 000005
【図５】
0005495750.tif 000006
【図６】
0005495750.tif 000007
【図７】
0005495750.tif 000008
【図８】
0005495750.tif 000009
【図９】
0005495750.tif 000010
【図１０】
0005495750.tif 000011
【図１１】
0005495750.tif 000012
【図１２】
0005495750.tif 000013
【図１３】
0005495750.tif 000014